(57)【特許請求の範囲】
【請求項１】
筆記具本体と、該筆記具本体の所定の個所に取り付けられた紐と、該紐の両端部を連結する連結具とを備えた紐付き筆記具において、前記連結具は、左右端部壁と、それぞれ該左右端部壁の上下端部を繋いで左右に伸びている上側壁と下側壁とを備え、前記左右端部壁にはそれぞれ前記紐が挿通可能な孔が形成され、前記上側壁の内側面には、前記下側壁に向かって下方所定の位置まで伸び、前記左右方向に略直交する方向に広がっている上側仕切壁を備え、前記下側壁の内側面には、前記上側壁に向かって、前記上側仕切壁の下端部より上の所定の位置まで伸びている、前記上側仕切壁に略平行に広がる下側仕切壁を備え、前記上側仕切壁と前記下側仕切壁とは前記左右方向において交互に形成され、前記紐の両端部は、それぞれ前記孔を通って前記連結具の内部に挿入され、前記上側仕切壁の下端部或いは下側仕切壁の上端部と、それぞれに対応する前記下側壁或いは上側壁の内側面との間、及び、前記上側仕切壁と前記下側仕切壁との間を順に伸び、前記連結具は、開閉可能に互いに結合された、少なくとも前記上側壁を備えたケース上部と、少なくとも前記下側壁を備えたケース下部とで構成されていることを特徴とする、紐付き筆記具。
【請求項２】
請求項１に記載の紐付き筆記具において、前記上側仕切壁と下側仕切壁との互いに向かい合う面の間の距離は、前記互いに向かい合う面の間に位置した紐が圧縮されることとなる寸法となっていることを特徴とする、紐付き筆記具。
【請求項３】
請求項2に記載の紐付き筆記具において、前記上側仕切壁の下端部の両側面側縁部と、前記下側仕切壁の上端部の両側面側縁部とは、エッジ状に形成されていることを特徴とする、紐付き筆記具。
【請求項４】
請求項2又は３に記載の紐付き筆記具において、前記上側仕切壁の下端部と前記下側壁の内側面との間の距離と、前記下側仕切壁の上端部と前記上側壁の内側面との間の距離は、その間に位置する紐が圧縮されない寸法となっていることを特徴とする、紐付き筆記具。
【請求項５】
請求項1乃至４のいずれか1に記載の紐付き筆記具において、前記上側仕切壁と下側仕切壁の一方は１個で、他方は２個形成されていることを特徴とする、紐付き筆記具。
【請求項６】
請求項1乃至５のいずれか1に記載の紐付き筆記具において、前記上側ケースは、前記上側壁の左右端部から垂下し、前記左右端部壁の上側半部を構成する左右端部壁上部をさらに備え、前記下側壁は、前記下側壁の左右端部から上方へ伸び、前記左右端部壁の下側半部を構成する左右端部壁下部をさらに備え、前記孔は、それぞれ前記左右端部壁上部及び下部に形成された略半円孔により形成されていることを特徴とする、紐付き筆記具。
【請求項７】
請求項６に記載の紐付き筆記具において、前記上下の部材はそれぞれに形成された係止部が係止することにより結合され、前記係止部は、前記紐に前記紐を前記連結具から外すだけの力が作用しても、外れない構成となっていることを特徴とする、紐付き筆記具。
【発明の詳細な説明】
【０００１】
【産業上の利用分野】
本発明は紐付きの筆記具に関し、さらに詳細に言えば、安全機構を備えた紐付き筆記具に関する。
【０００２】
【従来の技術】
筆記具の中には、野外での使用等に便利なように、筆記具本体に紐を取り付け、紐の両端を連結具等を用いて連結してループ状とし、首に掛けられるようにしたものがある。そして安全のために、所定の強さ以上の力が紐に掛かると連結具から紐の端部が外れるようにしたものが提案されている。
【０００３】
特開平７−３２３６９７号にそのような安全機構のついた紐付き筆記具の一例が開示されている。その紐付き筆記具では、一端が開口し、他端に孔が形成された一対の中空の固定具を設け、夫々の固定具の孔から紐の各端部を内部へ挿通して，紐の端部に結び目を作って抜け止めとし、一方の固定具の外周に突起を，他方の内周にその突起が嵌る溝を設け、これらの突起と溝を用いて両固定具を結合し紐の両端部を連結し、所定の値以上の力が紐に作用すると、その突起が溝から外れるようになっている。
【０００４】
また、固定具をヒンジ結合で結合すると共に、係止突起と係止溝を設けて開閉自在とし,紐が挿通される孔に繋がるスリ割り部を設け、強い力が作用したときに、そのスリ割部が広がって、結び目のつくられた紐の端部がそこから外れるようにした構成も開示されている。
【０００５】
しかし上記の構成では、紐の端部にわざわざ抜け止め用の結び目を作る作業が必要となる。
【０００６】
【発明が解決しようとする課題】
本発明は上記従来の問題点に鑑みなされたものであり、より簡単な操作で紐の両端部を連結具に連結でき、所定の大きさの力が作用したときに紐の端部が連結具から外れるようにした、紐付き筆記具を提供することをその目的とするものである。
【０００７】
【課題を解決するための手段】
上記課題を解決するために、本発明に係る紐付き筆記具においては、筆記具本体の所定の個所に取り付けられた紐の両端部を連結する連結具を設け、その連結具は、左右端部壁と、それぞれ該左右端部壁の上下端部を繋いで左右に伸びている上側壁と下側壁とを備えている。この左右端部壁にはそれぞれ紐の端部が挿通可能な孔が形成されている。そして、上側壁の内側面には、下側壁に向かって下方所定の位置まで伸び、伸び左右方向に略直交する方向に広がっている上側仕切壁が、一方下側壁の内側面には、上側壁に向かって、上側仕切壁の下端部より上の所定の位置まで伸びている、上側仕切壁に略平行に広がる下側仕切壁が、左右方向において交互に形成されている。紐の両端部は、それぞれ左右端部壁の孔を通って連結具の内部に挿入され、上側仕切壁の下端部或いは下側仕切壁の上端部とそれぞれ対応する下側壁の内側面或いは上側壁の内側面との間、及び、上側仕切壁と下側仕切壁との間を順に伸びている。そしてこの連結具は、開閉可能に互いに結合されたケース上部とケース下部とで構成され、上側壁と下側壁はそれぞれケース上部とケース下部に備えられている。
【０００８】
ある実施の形態では、上側仕切壁と下側仕切壁との互いに向かい合う面の間の距離は、それらの面の間に位置した紐が圧縮されることとなる寸法となっている。
また他に実施の形態では、上側仕切壁の下端部と下側壁の内側面との間の距離と、及び、下側仕切壁の上端部と上側壁の内側面との間の距離は、その間に位置する紐が圧縮されない寸法となっている。
さらに他の実施の形態では、上側仕切壁と下側仕切壁の一方は１個で、他方は２個形成されている。
【０００９】
さらに他の実施の形態では、ケース上部は、上側壁の左右端部から垂下し、左右端部壁の上側半部を構成する左右端部壁上部をさらに備え、ケース下部は、下側壁の左右端部から上方へ伸び、左右端部壁の下側半部を構成する左右端部壁下部をさらに備えており、左右端部壁の孔は、それぞれ左右端部壁上部及び下部に形成された略半円孔により形成されている。
【００１０】
さらに他の実施の形態では、ケース上部と下部は、それぞれに形成された係止部が係止することにより結合され、その係止部は、紐に連結具から外すだけの力が作用しても、外れない構成となっている。
【００１１】
【実施の形態】
以下、本発明の具体的実施の形態を、図面を参照しながら説明する。図1は、本発明の具体的実施の形態に係る紐付き筆記具1の斜視図である。筆記具本体2にはその上部にクリップ３が取り付けられ、そのクリップ３の後端部側は本体2の頭部を越えて後側に回って本体2に取り付けられ、本体2の頭部との間に隙間を設け、紐5を掛けることのできる紐掛け部４を構成している。紐の両端部は後述する連結具１１に結合され、ループ状になっている。
【００１２】
図２は連結具１１を示す図で、イは平面図、ロはイのＡ−Ａ線断面図、ハはイの右側面図である。この連結具１１は、それぞれ内側に窪んでいる、外形形状がほぼ対称であるケース上部１３とケース下部１５とを重ね合わせて構成されている。
【００１３】
ケース上部１３は、図中左右方向にやや長くなっている上側壁１７と、この上側壁１７の左右方向での両端から下方へ、互いに向かい合って伸びている、連結具１１の左右端部壁１９、２１のそれぞれ上側部分を構成する左右端部壁上部１９ａ、２１ａを備えている。符号２３ａ、２５ａは、上側壁１３の前後側端部から下方へ伸びる、連結具１１の前側壁２３と後側壁２５のそれぞれ上側半部分を構成する前側壁上部と後側壁上部で、左右方向に対して略直交する前後方向で隔てて形成され、互いに向かい合っている。図から明らかなとおり、本実施の形態では、それぞれの壁の部分は互いに滑らかな円弧状の部分を介して繋がって、一体の上部周壁２６を構成している。そして、上部周壁２６の下端面２６ａは面一になっている。
【００１４】
符号２７、２９は、上側壁１５の内側面１５ａから下方所定の位置まで、より具体的には上部周壁２６の下面２６ａを所定の距離だけ下方へ越えた位置まで、ケース上部１３の前後方向に広がって伸びている上側仕切壁であり、本実施の形態では左右対称の位置に二個設けられている。そしてそれら上側仕切壁２７、２９の下端部の両側面側縁部２７ａ、２７ｂ、２９ａ、２９ｂは略直角のエッジ状になている。また符号３１、３３は、上側壁１５の内側面１５ａから下方へ、これも上部周壁２６の下面２６ａを所定の距離だけ下方へ越えた位置まで伸びている軸であり、それぞれ左右端部壁上部１９ａ、２１ａと後前側壁上部２５ａ、２３ａに近く、ケース上部１３の中心に関して対称な位置に設けられている。これに付いてはさらに後述する。
【００１５】
ケース下部１５は、平面形状が上側壁17と略同一である下側壁35を備え、その左右方向での両端から上方へ、互いに向かい合って伸びている、連結具１１の左右端部壁１９、２１のそれぞれ下側部分を構成する左右端部壁下部１９ｂ、２１ｂと、下側壁３５の前後側端部から上方へ伸びる、連結具１１の前側壁２３と後側壁２５のそれぞれ下側半部分を構成する前側壁下部と後側壁下部２３ｂ、２５ｂを備えている。これらの部分は互いに滑らかな円弧状の部分を介して繋がって、一体の下部周壁３７を構成している。そして、下部周壁３７の上端面３７ａは面一になっている。
【００１６】
符号３９は、下側壁３５の内側面３５ａから上方所定の位置まで、より具体的には下部周壁３７の上端面３７ａを所定の距離だけ上方へ越えた位置まで、ケース下部１５の前後方向に広がって伸びている下側仕切壁であり、本実施の形態では左右対称の中央位置に形成されている。下側仕切壁３９の上端部の両側面側縁部３９ａ、３９ｂは、略直角のエッジ状になっている。
【００１７】
符号４１、４３は、ケース上部１３の軸３１、３３に対応する位置に形成された、下上側壁３５の内側面３５ａから上方へ、これも下周壁３７の上端面３７ａを所定の距離だけ上方へ越えた位置まで伸びている軸である。この軸４１、４３には、その先端から所定の深さまで軸方向に伸びる孔４５、４７が形成され、これらの孔の４５、４７にケース上部１３の軸３１、３３がきつく嵌り、ケース上部１３とケース下部１５とが一体化されている。
【００１８】
符号４９、５１は、連結具１１の左右端部壁１９、２１に形成された左右の貫通孔であり、それぞれ左右端部壁上部１９ａ、２１ａ及び下部１９ｂ、２１ｂに形成された上部半円孔左右４９ａ、５１ａと下部半円孔左右４９ｂ、４９ｂにより構成されている。孔４９、５１の直径は、紐５の直径より大きくなっている。
【００１９】
図３は紐５の両端部５ａ、５ｂを連結具１１に取り付けた状態を示し、イは連結具１１の上側壁１７の一部を切り欠いて示す平面図、ロは連結具１１の後側壁２５の一部を切り欠いて示す正面図である。
【００２０】
紐５の左側端部５ａは、連結具１１の左端部壁１９に形成された貫通孔４９から連結具１１内へ入り、上側仕切壁２７の下端面と下側壁３５の内側面３５ａとの間、上側仕切壁２７と下側仕切壁３９との間、下側仕切壁３９の上端面と上側壁１７の内側面１７ａとの間、下側仕切壁３９と上側仕切壁２９との間、上側仕切壁２９の下端面と下側壁３５の内側面３５ａとの間をこの順に伸びている。
【００２１】
一方、紐５の右側端部５ｂは、連結具１１の右端部壁２１に形成された貫通孔５１から連結具１１内へ入り、上側仕切壁２９の下端面と下側壁３５の内側面３５ａとの間、上側仕切壁２９と下側仕切壁３９との間、下側仕切壁３９の上端面と上側壁１７の内側面１７ａとの間、下側仕切壁３９と上側仕切壁２７との間、上側仕切壁２７の下端面と下側壁３５の内側面３５ａとの間をこの順に伸びている。そして、上側仕切壁２７と下側仕切壁３９との間の間隔、上側仕切壁２９と下側仕切壁３９との間の間隔は紐５の太さより短く、この部分に位置する紐５の部分は圧縮されている。一方、上側仕切壁２７、２９の下端面と下側壁３５の内側面３５ａとの間の間隔、及び下側仕切壁３９の上端面と上側壁１７の内側面１７ａとの間の間隔は、紐５の太さより大きく、この部分に位置する紐５の部分は圧縮されないようになっている。
【００２２】
紐５の両端部５ａ、５ｂを連結具１１に取り付けるためには、連結具１１のケース上部１３と下部１５とを外し、紐５の両端部５ａ、５ｂをそれぞれケース下部１５の下部半円孔左右４９ｂ、５１ｂを通して、下側仕切壁３９の上を乗り越えて所定の長さだけ伸ばしておき、軸３１、３３を孔４５、４７に嵌めこんでケース上部１３と下部１５とを結合すればよい。紐５が上側仕切壁２７、２９と下側仕切壁３９との間で圧縮されるので、紐５の端部５ａ、５ｂは連結具１１に保持され結合される。そして、紐５の太さに対して上側仕切壁２７、２９と下側仕切壁３９との間隔は、ある値以上の力が作用した場合に、紐５が上側仕切壁２７、２９と下側仕切壁３９とによる保持力に抗してそれらの間を滑り、連結具１１から外れるようになっている。これらの寸法は、紐５の材質等を考慮して実験的に定めることができる。
【００２３】
なお、本実施の形態では、上側仕切壁２７、２９の下端部の両側面側縁部２７ａ、２７ｂ、２９ａ、２９ｂと、下側仕切壁３９の上端部の両側面側縁部３９ａ、３９ｂが略直角のエッジ状になっており、紐５が滑りにくい状態となっており、一定の保持力を確保しやすくなっている。
【００２４】
また紐５が連結具１１から外れる程度の大きさの力が作用しても、連結具１１のケース上部１３とケース下部１５との結合が合う外れないように、軸３１、３３と孔４１、４３との嵌め合いが決められているが、外れた紐を再度取り付けるためにケース上部１３とケース下部１５とは適宜外すことは可能である。それに便なるように、例えば図２のハに破線で示すような切り欠き５３、５５を設けておいてもよい。
【００２５】
なお、紐に付いては断面の丸いものに限らず、平帯状のものも使用可能であり、材質等についても特に限定されない。
【００２６】
また、ケース上部と下部との結合方法も、上に説明した構成に限定されず、例えば前側を蝶番で結合し、後側はフック等を設けて係止するようにすることも可能である。
【００２７】
上記の説明において、左右、前後、上下等の語を使用したが、これは説明の便宜上のものであり、何らの限定を意味するものではない。
【００２８】
【発明の効果】
以上の説明から明らかな通り，本発明によれば，紐の端部にわざわざ結び目を作る必要も無く、連結具を構成するケース下部に対して紐の両端を所定の状態で配置し、その状態でケース上部を下部に結合するだけでよいので、きわめて簡単に紐の両端を連結具に取り付けることができる。そして、上下の仕切壁の間の間隔を所定の寸法にしておくことにより、所定以上の力が作用した場合には紐が連結具から外れるので、安全な紐付き筆記具が提供できる。また、上下仕切壁の間の間隔の寸法も、使用する紐の太さ、材質等に応じて実験的にきわめて容易に定めることができる。
【図面の簡単な説明】
【図１】本発明の実施の形態に係る紐付き筆記具の斜視図である。
【図２】連結具の構成を示す図である。
【図３】紐の両端を連結具に取り付けた状態を示す図である。
【符号の説明】
１  紐付き筆記具
２  筆記具本体
３  クリップ
４  紐掛け部
５  紐
１１  連結具
１３  ケース上部
１５  ケース下部
１７  上側壁
１９  左端部壁
２１  右端部壁
２３  前側壁
２５  後側壁
２７、２９  上側仕切壁
３１、３３  軸
３５  下側壁
３９  下側仕切壁
４１、４３  軸
４５、４７  孔
４９、５１  貫通孔
【図１】
0004440438.tif 000002
【図２】
0004440438.tif 000003
【図３】
0004440438.tif 000004